(57)【特許請求の範囲】
【請求項１】
入賞装置、図柄変動表示装置又は各種装飾部材等を取着する取着孔を形成するための入れ子を有する遊技機用の遊技板を成形する金型において、
前記入れ子の外周は、遊技領域の外周から遊技球の半径の長さ分内側に形成される仮想線より外側に配置されることを特徴とする金型。
【請求項２】
前記入れ子の外周は、前記遊技領域の外周に配置されることを特徴とする請求項１に記載の金型。
【請求項３】
前記入れ子の外周は、遊技領域の外周から遊技球の半径の長さ分内側に形成される仮想線より外側であって、かつ遊技領域内に配置されることを特徴とする請求項１に記載の金型。
【請求項４】
前記入れ子の外周は、遊技領域外及び発射球通過領域外の位置に一部又は全部配置されることを特徴とする請求項１に記載の金型。
【請求項５】
請求項１から４のいずれか１項に記載の金型を用いた遊技板の成形方法において、
形成される取着孔の形状に対応した入れ子を金型に取り付ける工程と、
前記入れ子が取り付けられた金型内に合成樹脂を充填して固化させる工程と、
を含むことを特徴とする金型を用いた遊技板の成形方法。
【請求項６】
請求項１から４のいずれか１項に記載の金型を用いて成形されたことを特徴とする遊技板。
【発明の詳細な説明】
【技術分野】
【０００１】
本発明は、パチンコ遊技機、アレンジボール遊技機、雀球遊技機等の遊技球を遊技媒体として用いる遊技機用の遊技板を成形するための金型、この金型を用いた遊技板の成形方法及びこの成形方法によって成形された遊技板に関する。
【背景技術】
【０００２】
近年、パチンコ遊技機に使用される遊技板の材料は、環境保護の観点や合板の変形による製品不良の発生等を考慮し、木材に代えて合成樹脂からなる遊技板も提案されている。特に透明性を有する合成樹脂を用いることにより、裏面に図柄変動表示装置や各種装飾部材を配置した遊技板を使用して、興趣を高めた遊技機が提案されている。
【０００３】
こうした合成樹脂製の遊技板を成形する方法の一つとして、射出成形による方法がある。遊技板の前面には入賞装置等を取着するための取着孔を多数設ける必要があるが、射出成形法によれば、これらの取着孔を同時に成形することができるため、歩留まりに優れるとともに、後加工が不要であることから量産性に優れる。
【０００４】
しかし、パチンコ遊技機は、機種ごとに盤面構成が異なるため、これに伴って機種ごとに遊技板の取着孔の形状が異なることになる。従って、機種ごとに射出成形用の金型を成形しなければならず、コストが高くなるという課題があった。
【０００５】
こうした課題を解決するものとして、特許文献１記載の発明では、図柄変動表示装置の画面を望ませる表示窓が設けられた遊技板を成形するための金型であって、表示窓を成形するための駒（入れ子）を機種ごとに交換できるようにした金型を提案している。
【先行技術文献】
【特許文献】
【０００６】
【特許文献１】特許２００８−５４５号公報
【発明の概要】
【発明が解決しようとする課題】
【０００７】
しかしながら、特許文献１に記載の発明では、特許文献１の図３に示されているように、表示装置の画面を望ませるための開口のみを機種ごとに交換可能にするものであり、その他開口は別工程である機械加工で形成する必要があるため、生産効率が悪いものであった。
【０００８】
また、図１に示されているとおり、表示窓を形成するための駒は本体部に形成された駒嵌着部に嵌合させることとなる。そのため、駒嵌着部の外周ラインよりも内側に表示窓が位置する場合、射出成形により得られた遊技板の表示窓の周囲に駒嵌着部のラインが現れることになる。これでは外観上の見栄えが悪くなり、さらには、ライン上に生じる凹凸により遊技球の落下に支障を生じるおそれが懸念される。
【０００９】
そこで、本発明は上記課題を鑑みてなされたもので、遊技板の外観上の見栄えを損なうことなく、異なる機種の遊技板を成形することができ、かつ金型に要するコストを低減できる遊技板の金型を提供することを主目的とする。
【課題を解決するための手段】
【００１０】
本発明は、上述の目的を達成するために以下の手段を採った。
【００１１】
本発明の遊技機用の遊技板を成形する金型は、
入賞装置、図柄変動表示装置又は各種装飾部材等を取着する取着孔を交換可能な入れ子で成形する遊技機用の遊技板を成形する金型において、
前記入れ子の外周は、遊技領域の外周から遊技球の半径の長さ分内側に形成される仮想線より外側の位置に配置されることを特徴とする。
【００１２】
かかる遊技機用の遊技板を成形する金型によれば、入賞装置、図柄変動表示装置及び各種装飾部材等を取着する取着孔を成形する部分を交換可能な入れ子にしているので、遊技機の機種によって異なる取着孔の形状に対応する入れ子に交換することで、１つの可動型、固定型を流用して、異なる取着孔形状を有する遊技板を作製することができる。このため、異なる機種ごとに金型を作製する場合と比較して、金型の作製コストを抑えることができ、結果として遊技板の価格を低く抑えることができる。また、入れ子の外周が、遊技領域の外周から遊技球の半径の長さ分内側に形成される仮想線よりも外側になるように、金型に配置されるので、射出成形時に入れ子の外周の境界部で発生する凹凸のライン（以下「入れ子ライン」という。）が遊技領域の外周近傍に形成される。そのため、遊技中に凝視される図柄変動表示装置近傍付近に入れ子ラインが発生する場合と比較して外観の見栄えが損なわれるのを防止することができる。また、入れ子ラインが遊技領域の外周から遊技球の半径の長さ分内側に形成される仮想線よりも外側に形成されるので、遊技球が入れ子ラインの凹凸に接触することが防止される。従って、遊技領域内で凹凸によって遊技球の落下に影響を与えることを防止することができる。なお、ここで、「遊技領域」とは、入賞装置等が設けられ、かつ遊技球が戻り装置を通過した後に移動可能な領域をいう（図５の符号５１参照）。
【００１３】
また、本発明の遊技機用の遊技板を成形する金型において、前記入れ子の外周は、前記遊技領域の外周の位置に配置されてもよい。かかる構成を採用すれば、成形された遊技板の入れ子ラインがガイドレールの下に発生することになるので、入れ子ラインはガイドレールに隠れ、外観の見栄えを損なうことを防止できる。また、遊技領域に入れ子ラインが発生していないので、入れ子ラインの凹凸が遊技球の落下に影響を与えることを防止することができる。
【００１４】
また、本発明の遊技機用の遊技板を成形する金型において、前記入れ子の外周は、遊技領域の外周から遊技球の半径の長さ分内側に形成される仮想線より外側であって、かつ遊技領域内の位置に配置されてもよい。異なる機種の遊技機であっても、遊技機の本体部が共通であれば、ガイドレールの位置は共通になる。したがって、１つの金型の入れ子を交換することによって、異なる形状の開口を有する遊技板を作製することができる。これによって、金型を作製する数を減らすことができ、結果として遊技板の価格の低減を図ることができる。また、入れ子ラインが発射球通過領域に発生することを防止することができるので、発射球が必ず通過し、注意を引きやすい発射球通過領域の外観の見栄えが損なわれることを防止することができる。なお、ここで、「発射球通過領域」とは、発射された遊技球を遊技領域に導く領域であって、遊技球が発射されてから戻り球防止装置までの領域をいう（図５の符号５５参照）。
【００１５】
さらに、本発明の遊技機用の遊技板を成形する金型において、前記入れ子の外周は、遊技領域外及び発射球通過領域以外の位置に一部又は全部配置されてもよい。かかる構成を採用すれば、遊技領域外及び発射球通過領域以外に存在する入れ子ラインは、遊技領域及び発射球通過領域よりも外側に発生することになる。そのため、遊技板が遊技機に取り付けられている状態において、遊技機の外側から入れ子ラインを視認することができなくなるので、外観上の見栄えが悪くなるのをほぼ完全に防止することができる。また、発射球通過領域及び遊技領域のいずれにも入れ子ラインが発生することを防止できるので、入れ子ラインが遊技球の軌道に影響を与える可能性を防止することができる。
【００１６】
本発明の金型を用いた遊技板の成形方法として、前述の金型に、形成される取着孔の形状に対応した入れ子を金型に取り付ける工程と、前記入れ子が取り付けられた金型内に合成樹脂を充填して固化させる工程と、を含むものであってもよい。かかる遊技板の成形方法を採用することによって、同一の固定型、可動型を使用して、入れ子型を交換することで、異なる取着孔を有する異なる機種の遊技板を成形することができる。そのため、複数の型を作製する場合と比較して型コストを低減することができ、結果として遊技機の製品コストを下げることができる。
【００１７】
さらに、本発明の遊技板として、前述した金型を用いて成形されたことを特徴とする。前述した金型を用いて成形された遊技板によれば、遊技者が凝視する遊技領域の中心部分には、入れ子ラインが発生することを防止できるので、遊技板の見栄えが損なわれる恐れを防止することができる。また、遊技領域において、入れ子ラインの凹凸によって遊技球の軌道に微妙な変化を与える可能性を防止することができるため、安心した遊技を行うことが可能な遊技板となる。
【００１８】
さらに、本発明の遊技板として、前述した金型を用いた遊技板の成形方法によって成形された遊技板において、形成される取着孔の形状に対応した入れ子を金型に取り付ける工程と、前記入れ子が取り付けられた金型内に合成樹脂を充填して固化させる工程と、を含む金型を用いた遊技板の成形方法によって成形された遊技板であってもよい。かかる構成を採用することによって、機種ごとに新たな金型を作製することなく、機種の変更に左右されない非遊技領域を共通利用した遊技板を作製することができる。そのため、金型をすべて交換する作製方法で作成された遊技板と比較して、価格を低く抑えた遊技板を提供することができる。
【発明の効果】
【００１９】
本発明にかかる金型によれば、見栄えを損なうことなく、かつ遊技球の落下に影響を与えることを低減することができる遊技板を作製することができる。また、金型を用いた遊技板の成形方法によれば、遊技領域のみを入れ子として交換すれば、異なる機種の異なる取着孔を有する遊技板を同じ金型で作製することができる。そのため製品コストの低減を図ることができる。また、本金型により成形された遊技板は、遊技者が凝視する遊技領域に入れ子ラインが生じることがないため、遊技板の見栄えを損なうことを防止することができる。また、入れ子により生じる遊技球の微妙な軌道の変化が生じる心配もないため、安定した遊技を行うことが可能である。
【図面の簡単な説明】
【００２０】
【図１】図１は、パチンコ遊技機２０の構成の概略を示す斜視図である。
【図２】図２は、パチンコ遊技機２０の正面図である。
【図３】図３は、パチンコ遊技機２０の背面図である。
【図４】図４は、遊技板５０のガイドレール５３の範囲を説明するための説明図である。
【図５】図５は、遊技板５０の各領域を説明するための説明図である。
【図６】図６は、第１実施形態にかかる射出成形用金型１００、入れ子型１３及び遊技板５０を示す斜視図である。
【図７】図７は、第１実施形態にかかる遊技板に対する入れ子型１３の大きさ及び配置を示す正面図、この正面図のＡ−Ａ断面図及びＡ−Ａ断面図の一部拡大図である。
【図８】図８は、第１実施形態にかかる射出成形用金型１００を閉型した状態を示す断面図である。
【図９】図９は、第１実施形態にかかる入れ子型１３の別実施形態を示す斜視図である。
【図１０】図１０は、第２実施形態にかかる遊技板に対する入れ子型１３の大きさ及び配置を示す正面図である。
【図１１】図１１は、第３実施形態に係る遊技板に対する入れ子型１３の大きさ及び配置を示す正面図である。
【図１２】図１２は、ガイドレールの別実施形態を示す断面図である。
【発明を実施するための形態】
【００２１】
ここで、上記簡単に説明した図面に基づいて、本発明を実施するための形態を説明するにあたり、本実施形態の構成要素と本発明の構成要素との対応関係を明らかにする。本実施の形態のパチンコ遊技機２０が本発明の遊技機に相当し、図柄変動表示装置５２が図柄変動表示装置に相当し、遊技板５０が遊技板に相当し、射出成形用金型１００が金型に相当し、入れ子型１３が入れ子にそれぞれ相当する。これ以外の構成要素は、本実施形態の構成要素と本発明の構成要素と同様の用語を使用している。
【００２２】
（第１実施形態）
以下、図面を用いて、第１実施形態にかかる射出成形用金型及びこの射出成形金型を用いて遊技板を成形する方法及び遊技板について詳細に説明する。
【００２３】
まず、図１〜図３を用いて、本発明の金型で成形される遊技板が取り付けられるパチンコ遊技機２０の構成を簡単に説明する。ここで、図１は、パチンコ遊技機２０の構成の概略を示す斜視図であり、図２は、パチンコ遊技機２０の正面図であり、図３は、パチンコ遊技機２０の背面図である。パチンコ遊技機２０は、図１に示すように、パチンコホール等の島に上板と下板との間に挟持されて支持される外枠２２と、外枠２２に軸支される本体部３０と、本体部３０の一側に設けられ図示しない蝶番により開閉可能に軸着される透明板保持枠７１と、を備えている。
【００２４】
本体部３０は、図２に示すように、遊技領域５１を含む遊技板５０と、前面下部の一側方位置に回転可能に設けられた発射ハンドル３２と、前面下部に設けられ図示しない遊技球を貯留する球受皿３４と、球受皿３４の下部であって本体部３０の両側部に設けられ演出音等を放音するスピーカ３６と、を備えている。また、本体部３０の裏面側には、図３に示すように、上部に設けられた球タンク３８から賞球又は貸球を供給する球払出装置４０と、封入ケースに封入された球払出制御基板４８及び主制御基板７０を含む主基板と、ランプ制御基板４９及び音声・表示制御基板８０を含む周辺基板と、が設けられている。
【００２５】
遊技板５０は、図２に示すように、略中央部に位置し入賞等による各種演出を表示する大型の液晶パネルを有する図柄変動表示装置５２や図柄変動表示装置５２の下方に位置する大入賞口５６ａ及び大入賞口５６ａの両側方向に位置する複数の入賞口５６を有し、風車や多数の障害釘からなる障害釘群が表面に適宜配置される遊技領域５１を有している。球受皿３４内の図示しない遊技球は、図示しない打球供給装置を経由して図示しない打球発射装置に導かれ、発射ハンドル３２の回転度に応じた強さで遊技領域５１内に発射される。図示しない発射装置によって障害釘群や入賞口５６等を有する遊技領域５１内に射出された遊技球は、風車や障害釘群を通過して入賞口５６や大入賞口５６ａに到達すると、入賞口５６や大入賞口５６ａに設けられた入賞球スイッチによって検出され、主制御基板７０が入賞信号を受信することによって入賞として扱われる。この場合には、主制御基板７０より球払出制御基板４８に球払出信号が発信され、球タンク３８から球払出装置４０を介して賞球が球受皿３４に供給されることにより、遊技者は賞球を得ることができる。
【００２６】
射出成形用金型１００を説明する前に、ここで、本明細書及び添付の特許請求の範囲におけるガイドレール５３の範囲の定義及び遊技板５０の領域の定義について図４及び図５を使用して説明する。図４は、遊技板５０の表面にガイドレールのみを取り付けた状態を示す図であり、図５は、遊技板５０に各種装飾装置を取り付けた状態の図を示している。本明細書において、内側ガイドレール５３ａとは、図４に示すように、遊技球緩衝部材５３ｃの下端からアウト口５６ｂを経由して戻り球防止装置の部分までの範囲（Ａの範囲）のガイドレールをいう。外側ガイドレール５３ｂとは、遊技球緩衝部材５３ｃの上端から戻り球防止装置を経由して遊技板左下端までの範囲（Ｂの範囲）のガイドレールをいう。また、遊技領域形成ガイドレール部５３ｄとは、遊技球が戻り装置を通過した後に、遊技球が通過可能な範囲（遊技領域）を形成するガイドレール、すなわち、内側ガイドレール５３ａ全体、遊技球緩衝部材５３ｃ及び外側ガイドレールのうち緩衝部材の上端から戻り球防止装置までの間の範囲（Ｃの範囲）のガイドレールをいう。遊技領域５１とは、図５に示すように、遊技球が戻り球防止装置５７を通過した後に遊技球が通過可能な領域、すなわち遊技領域形成ガイドレール部５３ｄの内側で入賞口５６や図柄変動表示装置５２が配置される領域（図５の斜線の範囲）をいう。発射球通過領域５５とは、発射された遊技球を遊技領域５１に導く領域であって、戻り球防止装置５７までの間の領域（図５の網線の範囲）をいう。非遊技領域５９とは、遊技板５０内の領域であって、遊技領域５１及び発射球通過領域５５以外の領域、すなわち、遊技球が通過しない領域をいう。
【００２７】
第１実施形態にかかる射出成形用金型１００は、図６に示すように、上述した遊技板５０を射出成形によって成形するための金型である。第１実施形態にかかる射出成形用金型１００は、図６に示すように、固定型１１と、可動型１２と、この可動型１２に自在に取り付け可能な入れ子型１３を備えている。尚、図６の射出成形用金型１００は、模式的に表したものであり、ゲートやエジェクターピン等の詳細構造は省略してある。
【００２８】
入れ子型１３は、入賞装置、図柄変動表示装置又は各種装飾部材等を取着する取着孔５０ａを形成する凸部１３ａを備えている。入れ子型１３は、図７に示すように、遊技板５０の遊技領域５１側に遊技球９０の半径の長さ分内側になる仮想線５８より大きく形成されており、かつ遊技領域５１よりは小さく形成されている。また、可動型１２に対して、図７の一部拡大図に示すように、入れ子型１３の外周が遊技領域５１の外周から遊技球９０の半径の長さａ分内側に形成される仮想線５８より外側であって、かつ遊技領域５１内に配置されるように取り付けられる。よって、遊技板５０を成形した際に入れ子型１３によって外周の跡として凹凸（以下「入れ子ライン６０」という。）が遊技領域形成ガイドレール部５３ｄと仮想線５８との間に形成されることになる。
【００２９】
こうして構成された射出成形用金型１００を使用して、図８に示すように、固定型１１及び可動型１２との間に形成されたキャビティ１４に、透明性を有するポリカーボネートを溶融した状態で射出、充填し、冷却固化することによって、固定型１１側が遊技板５０の裏面側を成形し、可動型１２側が遊技板５０の表面側を成形し、入れ子型１３によって取着孔５０ａが成形した遊技板５０が得られる。
【００３０】
こうして成形された遊技板５０は、入賞装置、図柄変動表示装置又は各種装飾部材等を取着する取着孔５０ａが設けられているので、後工程で取着孔５０ａを穿設する工程を介することなく、障害釘、風車、ガイドレール、可変入賞装置及び始動入賞装置等必要な装飾部材を取り付けることができる。そして、図５に示すように、装飾された遊技板５０が完成する。
【００３１】
こうして成形された遊技板５０は、図６に示すように、射出成形時の入れ子ライン６０がわずかに発生する。しかし、この入れ子型１３の外周は、図７に示すように遊技領域５１の外周から遊技球９０の半径の長さａ分内側に形成される仮想線５８よりも外側に配置されているので、入れ子ライン６０が遊技領域５１の外周近傍に発生する。従って、遊技領域５１の中心付近に入れ子ライン６０が発生する場合と比較して外観の見栄えが損なわれるのを防止することができる。また、入れ子ライン６０が遊技板５０の表側に発生することになるが、入れ子ライン６０は、遊技領域５１の外周から遊技球９０の半径の長さ分より内側に形成されることになるので、遊技球９０が入れ子ライン６０に触れることを防止することができる。そのため、入れ子ライン６０の凹凸によって遊技球の落下に影響を与えることを防止することができる。
【００３２】
必要な数量の遊技板５０を成形した後、異なる形状の取着孔を有する異なる機種の遊技板を成形する場合には、入れ子型１３を交換することによって、異なる取着孔を有する遊技板を作製することができる。例えば、図柄変動表示装置を取着する取着孔が異なる遊技板を成形する場合には、図９（ａ）に示すように、図柄変動表示装置を取着する取着孔を形成する凸部１３ａが異なる入れ子型１３に交換して成形すればよい。また、遊技板裏面に液晶表示装置を配置する盤面を構成する遊技板を作製する場合には、図９（ｂ）に示すように図柄変動表示装置を取着する取着口孔を形成する凸部１３ａがない入れ子型１３を使用すればよい。また、図９（ｂ）に示す入れ子型１３を使用した場合には、後工程で遊技板に任意の図柄変動表示装置を取着する取着孔を形成することも可能になる。そのため、小ロットの遊技板を作製する場合に効果的である。
【００３３】
（第２実施形態）
図１０に第２実施形態にかかる射出成形用金型１００で成形される入れ子型１３の大きさ、位置が示されている。第２実施形態に係る射出成形用金型１００は、入れ子型１３が遊技領域５１の大きさと同様の大きさであって、かつ遊技領域形成ガイドレール部５３ｄの下に入れ子ライン６０が発生するように射出成形用金型１００に取り付け可能になっている。上記以外の構成は、第１実施形態と同様であるので説明を省略する。
【００３４】
かかる第２実施形態によれば、入れ子ライン６０が遊技領域形成ガイドレール部５３ｄの下に発生するので、入れ子ライン６０は、遊技領域５１に発生せず、かつ遊技領域形成ガイドレール部５３ｄで入れ子ライン６０を隠すことができるので、遊技板５０がパチンコ遊技機２０に取り付けられている状態では、外側から入れ子ライン６０を遊技者が視認することができなくなる。そのため、外観上の見栄えを損なうおそれをほぼ完全に防止することができる。また、遊技領域５１及び発射球通過領域５５のいずれにも入れ子ライン６０が発生することを防止できるので、入れ子ライン６０が遊技球９０の軌道に影響を与える可能性を防止することができる。
【００３５】
（第３実施形態）
図１１に第３実施形態にかかる射出成形用金型１００で成形される入れ子型１３の大きさ、位置が示されている。第３実施形態にかかる射出成形用金型１００は、入れ子型１３が遊技領域５１及び発射球通過領域５５を含むように形成されていて、かつ外側ガイドレール５３ｂ全体と遊技球緩衝部材５３ｃ及び内側ガイドレール５３ａの一部に入れ子ライン６０が発生するように、すなわち、遊技領域５１及び発射球通過領域５５の外周に入れ子ライン６０が発生するように、射出成形用金型１００に取り付け可能になっている。それ以外の構成は，第１実施形態と同様である。
【００３６】
かかる第３実施形態によれば、入れ子ライン６０は、遊技領域５１及び発射球通過領域５５外に発生しているので、遊技板５０がパチンコ遊技機２０に取り付けられている状態では、外側から入れ子ライン６０を視認することができなくなる。そのため、外観上の見栄えが損なわれるのをほぼ完全に防止することができる。また、遊技領域５１及び発射球通過領域５５のいずれにも入れ子ライン６０が発生することを防止できるので、入れ子ライン６０が遊技球９０の軌道に影響を与える可能性を防止することができる。
【００３７】
なお、本発明は上述した各実施形態に何ら限定されることはなく、本発明の技術的範囲に属する限り種々の態様で実施し得ることはいうまでもない。
【００３８】
例えば、上述した第１実施形態では、ガイドレール５３はそれぞれ垂直な板状のもののみを取り付ける遊技板を用いて説明したが、図１２ａに示すように、不透明な素材を使用して、ガイドレール５３に沿うように側壁部５４ａを設け、この側壁部５４ａの取り付け部から側方方向へ延設するように遊技領域５１に向けて緩やかに傾斜する傾斜面部５４ｂを設けてもよい。かかる構成を採用すれば、入れ子ライン６０を傾斜面部５４ｂで隠すことができるので、外観上の見栄えが損なわれるのを防止することができる。また、発射球通過領域５５においては、図１２ｂに示すように、内側ガイドレール５３ａ及び外側ガイドレール５３ｂの両外側に配置される側壁部５４ａとこれらを連結する底壁部５４ｃとを有するコの字状の発射球通過誘導路に対し、さらに内側ガイドレール５３ａ側の側壁部５４ａの下方から側方方向へ延設するように遊技領域５１に向けて緩やかに傾斜する傾斜面部５４ｂを設けて、断面がＦ字状の発射球通過誘導路５４を設けることも可能である。かかる構成を採用することにより、同様に、入れ子ライン６０を傾斜面部５４ｂで隠すことができるので、外観上の見栄えが損なわれるのを防止することができる。さらに、発射球通過誘導路５４を設けた場合には、内側ガイドレール５３ａを省略することができる。一般に、ガイドレールは遊技球が衝突するため、耐久性を考慮して金属製に作製されるが、発射球通過領域５５においては、発射球は主として外側ガイドレールに沿って上昇するため、それほどの耐久性は必要ないからである。
【００３９】
また、上述した実施の形態では、固定型１１側が遊技板５０の裏面側を成形し、可動型１２側が表面側を成形するものとしたが、固定型１１側が遊技板５０の表面側を成形し、可動型１２側が裏面側を成形するものとしてもよい。その場合は、入れ子型１３の取着口を形成する凸部が第１実施形態と比較して、反転された形状を形成する。かかる構成を採用すれば、入れ子ライン６０が裏面側に発生することになるので、入れ子ライン６０による遊技球９０へ与える影響を防止することができる。
【００４０】
また、上述した実施の形態では、入れ子型の大きさ及び位置の例として３つの形態を示したがこれに限定するものではなく、特許請求の範囲に記載した範囲を逸脱しない範囲内で種々の大きさ及び位置の入れ子型の大きさ及び位置を採用することができる。例えば、入れ子型の大きさ及び位置が非遊技領域５９に発生するようにしても構わない。
【００４１】
また、上述した実施の形態では、入賞装置、図柄変動表示装置又は各種装飾部材等を取着する取着孔５０ａをすべて入れ子型１３で形成するものとしたが、必ずしもすべての取着孔５０ａを入れ子型１３で設けなくてもよい。そのような場合には、後加工で穴明け加工を行ってもよい。
【００４２】
また、上述した実施の形態では、成形工程時に成形のみを行うものとしているが、遊技板用の樹脂の成形と樹脂表面への装飾用のシートの貼着との両方を同時に行うインモールド成形工程を有していても良い。こうすれば、成形工程と貼着工程の二つの工程を有する場合と比較して、遊技板５０を成形する際の労力を低減することができる。
【００４３】
また、上述した実施の形態では、遊技板の材質として無色透明のポリカーボネートを使用したが、これに限定するものではなく、ポリメタクリル酸メチル樹脂等のアクリル樹脂やＡＢＳ樹脂等他の樹脂であってもよい。また、樹脂は必ずしも無色透明である必要はなく、有色透明の樹脂や不透明な樹脂を用いてもよい。
【産業上の利用可能性】
【００４４】
上述した実施の形態で示すように、樹脂製板の成形分野、特に、遊技機用の遊技板の成形分野に利用することができる。
【符号の説明】
【００４５】
１１…固定型、１２…可動型、１３…入れ子型、１３ａ…凸部、１４…キャビティ、２０…パチンコ遊技機、２２…外枠、３０…本体部、３２…発射ハンドル、３４…球受皿、３６…スピーカ、３８…球タンク、４０…球払出装置、４８…球払出制御基板、４９…ランプ制御基板、５０…遊技板、５０ａ…取着孔、５１…遊技領域、５３…ガイドレール、５３ａ…内側ガイドレール、５３ｂ…外側ガイドレール、５３ｃ…遊技球緩衝部材、５３ｄ…遊技領域形成ガイドレール部、５４…発射球通過誘導路、５４ａ…側壁部、５４ｂ…傾斜面部、５４ｃ…底壁部、５５…発射球通過領域、５６…入賞口、５６ａ…大入賞口、５６ｂ…アウト口、５７…球防止装置、５８…仮想線、５９…非遊技領域、６０…入れ子ライン、７０…主制御基板、７１…透明板保持枠、８０…音声・表示制御基板、９０…遊技球、１００…射出成形用金型
【図１】
0005735839.tif 000002
【図２】
0005735839.tif 000003
【図３】
0005735839.tif 000004
【図４】
0005735839.tif 000005
【図５】
0005735839.tif 000006
【図６】
0005735839.tif 000007
【図７】
0005735839.tif 000008
【図８】
0005735839.tif 000009
【図９】
0005735839.tif 000010
【図１０】
0005735839.tif 000011
【図１１】
0005735839.tif 000012
【図１２】
0005735839.tif 000013